(57)【特許請求の範囲】
【請求項１】
遊技球が発射される遊技領域を前面側に形成する遊技盤と、この遊技盤にその前面側から固定される複数の遊技釘とを備え、各遊技釘が遊技盤に挿入支持される挿入釘部と遊技領域内に配置される釘頭部側の露出釘部とを有する弾球遊技機において、
前記複数の遊技釘の内の少なくとも１つの遊技釘の露出釘部には、その露出釘部と挿入釘部との境界部から釘頭部側へ遊技球の半径よりも小さい所定長さ離れた部位に前記境界部よりも太さが細い折損促進部を設け、この遊技釘が多数の遊技球から受ける打撃によって折損する場合、前記折損促進部が前記境界部よりも折れ易いように構成されたことを特徴とする弾球遊技機。
【請求項２】
前記折損促進部は遊技球が直接当たらない部位に形成されたことを特徴とする請求項１に記載の弾球遊技機。
【請求項３】
前記所定長さが４ｍｍ〜５ｍｍに設定されたことを特徴とする請求項２に記載の弾球遊技機。
【請求項４】
前記露出釘部の折損促進部以外の部分が同じ太さで折損促進部よりも太く形成されたことを特徴とする請求項１〜３の何れかに記載の弾球遊技機。
【請求項５】
前記露出釘部の折損促進部以外の部分と挿入釘部とが同じ太さに形成されたことを特徴とする請求項４に記載の弾球遊技機。
【請求項６】
前記挿入釘部の長さ方向途中部に他の部分よりも太さが太い挿入根部が形成され、露出釘部の折損促進部以外の部分と挿入釘部の挿入根部以外の部分とが同じ太さに形成されたことを特徴とする請求項４に記載の弾球遊技機。
【請求項７】
前記露出釘部の折損促進部及び折損促進部よりも釘頭部側部分が同じ太さに形成され、露出釘部の折損促進部よりも釘頭部側と反対側部分と挿入釘部とが同じ太さに形成されたことを特徴とする請求項１〜３の何れかに記載の弾球遊技機。
【発明の詳細な説明】
【技術分野】
【０００１】
本発明は弾球遊技機に関し、特に、遊技盤に固定された遊技釘が折れた場合に、その遊技釘の残存部を遊技盤から容易に取除けるように、遊技釘の構造を改善したものである。
【背景技術】
【０００２】
一般に、弾球遊技機であるパチンコ機には、遊技球が発射される遊技領域を前面側に形成する木製又は合成樹脂製の遊技盤と、この遊技盤にその前面側から固定される複数の真鍮製の遊技釘（障害釘）とが設けられ、各遊技釘は、遊技盤に挿入支持される釘尖鋭部側の部分が挿入釘部となり、遊技領域内に配置される釘頭部側の部分が露出釘部となり、釘尖鋭部以外の挿入釘部と釘頭部以外の露出釘部とが同じ太さに形成されている（例えば、実施例に係る図３の遊技釘を参照）。
【０００３】
近年のパチンコ機では、遊技者が発射ハンドルを操作することで、貯留皿に貯留された複数の遊技球が自動的に微小時間（例えば、約０．６秒）間隔で順次遊技領域に発射され、遊技領域の上部に誘導された各遊技球は複数の遊技釘に当たって跳返され進行方向を変えながら落下して、遊技領域に設けられた各種入賞口に入賞したりしなかったりする。
【０００４】
パチンコ機の遊技釘において、遊技球が露出釘部に当たると、挿入釘部は遊技盤に挿入支持されていることから、露出釘部と挿入釘部との境界部に曲げモーメントが最も大きく作用する。個々の遊技球に対する前記曲げモーメントは微小であるが、遊技球の発射数は、遊技球を連続的に発射した場合、１分間で約１００個、１時間で約６０００個にもなるため、遊技釘の負担、特に稼働率が高いパチンコ機の遊技釘、その中でも遊技球が頻繁にまた強く当たる遊技釘の負担は大きくなる。
【０００５】
遊技球が頻繁にまた強く当たる遊技釘は、例えば、遊技球を始動口に望むように導くために発射後最初に当てる遊技釘、遊技球を所謂右打ちして強く発射させた場合にその跳返りを直接受ける遊技釘、遊技球を左右に振分けてその落下ルートを大きく二分させる遊技釘、始動口の上方近傍に設けられ且つ頻繁に釘調整が行われる遊技釘、等であり、釘調整が頻繁に行われる遊技釘については、その釘調整でも負担が大きくなる。
【０００６】
パチンコ機の遊技釘においては、特に稼働率が高いパチンコ機の遊技釘が、その中でも遊技球が頻繁にまた強く当たる遊技釘が、露出釘部と挿入釘部との境界部の金属疲労が蓄積され増大して、その境界部から折れる場合があり、そうなると、挿入釘部を遊技盤から取除いて新たな遊技釘を遊技盤に固定する遊技釘の交換が必要になる。
【０００７】
ここで、特許文献１に記載のパチンコ機では、折損する虞がある遊技釘が遊技盤にその後面側から固定され、この場合に、遊技釘が遊技盤に貫通状に形成された釘孔に圧入され、その遊技釘の先端側部分が遊技領域内に配置される。遊技釘が折損した場合、ペンチ等の引抜き工具を使用して、遊技盤の後面側から遊技釘の頭部を把持し、遊技盤に残存した釘部分を釘孔から引抜いて取除くことができる。
【０００８】
尚、特許文献２に記載のパチンコ機では、合成樹脂製の遊技盤に固定された遊技釘を折れにくくすることを目的に、遊技釘の後部に前部よりも太く且つ抜止め加工された挿入釘部が形成され、この挿入釘部が遊技盤に貫通状に形成された釘孔に遊技盤の前面側から、遊技盤の前面よりも後側に位置するように挿入されている。
【０００９】
【特許文献１】特開２００５−１１８４４０号公報
【特許文献２】特開２００７−１０５３１２号公報
【発明の開示】
【発明が解決しようとする課題】
【００１０】
従来のパチンコ機の遊技釘では、挿入釘部と露出釘部とが同じ太さに形成されているため、また、遊技球が露出釘部に当たると、露出釘部と挿入釘部との境界部に曲げモーメントが最も大きく作用するため、遊技釘が多数の遊技球から受ける打撃によって折損する場合、金属疲労が蓄積され増大した前記境界部から折れることが多く、そうなると、挿入釘部を遊技盤から取除いて新たな遊技釘を遊技盤に固定する遊技釘の交換が必要になる。
【００１１】
しかし、遊技釘が前記境界部から折れると、遊技盤にはそこに挿入された挿入釘部しか残存しなくなるため、ペンチ等の引抜き工具を使用して、その挿入釘部を遊技盤から引抜いて取除くことが困難になり、その分、遊技釘の交換に多大な労力と時間を要することになる。また、引抜き工具を使用して、挿入釘部を遊技盤の前面側から無理に引抜こうとすると、遊技盤の前面に形成された盤面意匠部が傷つく虞もある。
【００１２】
特許文献１に記載のパチンコ機の遊技釘では、遊技釘が折損した場合、引抜き工具を使用して、遊技盤の後面側から遊技釘の頭部を把持し、遊技盤に残存した釘部分を釘孔から引抜いて取除くことができるが、遊技盤の後面側に遊技釘の交換を行う為のスペースを作る必要がある。通常、遊技盤は筐体（外枠）に対して開閉可能になっているため、遊技盤を開けて前記スペースを作ることができたとしても、遊技盤が不安定な状態で行う遊技釘の交換に要する労力と時間を望むように低減することは難しい。
【００１３】
通常、遊技盤の後面側には、ディスプレイや通路形成部材や制御ユニット等の複数の遊技機器が取付けられているため、遊技釘が折損した場合、その遊技釘の少なくとも後側及びその近傍に位置する遊技機器を取外さなければ、前記スペースを作ることができず、つまり、遊技釘の交換に多大な労力と時間を要することになる。故に、折損する虞がある遊技釘の後側及びその近傍に遊技機器を最初から取付けないようにすることも考えられるが、遊技機器の配置スペースに制約を受け、既存の弾球遊技機への適用が難しくなる。
【００１４】
尚、特許文献２のパチンコ機の遊技釘は、合成樹脂製の遊技盤に固定された遊技釘を折れにくくすることを目的として構成されたものであり、遊技釘が折損した場合の対処技術については皆無である。この遊技釘が折損する場合には、遊技釘の挿入釘部の前端から折れることになり、そうなると、従来のパチンコ機の遊技釘と同様の課題が生じる。
【００１５】
本発明の目的は、遊技盤に固定された遊技釘が折れた場合に、その遊技釘の残存部を遊技盤から容易に取除くことができて、遊技釘の交換を容易に行うことができ、この遊技釘を既存の弾球遊技機へも容易に適用できる、弾球遊技機を提供することである。
【課題を解決するための手段】
【００１６】
請求項１の発明は、遊技球が発射される遊技領域を前面側に形成する遊技盤と、この遊技盤にその前面側から固定される複数の遊技釘とを備え、各遊技釘が遊技盤に挿入支持される挿入釘部と遊技領域内に配置される釘頭部側の露出釘部とを有する弾球遊技機において、前記複数の遊技釘の内の少なくとも１つの遊技釘の露出釘部には、その露出釘部と挿入釘部との境界部から釘頭部側へ遊技球の半径よりも小さい所定長さ離れた部位に前記境界部よりも太さが細い折損促進部を設け、この遊技釘が多数の遊技球から受ける打撃によって折損する場合、前記折損促進部が前記境界部よりも折れ易いように構成されたことを特徴とする。
【００１７】
遊技釘において、遊技球が露出釘部に当たると、挿入釘部は遊技盤に挿入支持されていることから、境界部に曲げモーメントが最も大きく作用するため、遊技釘が多数の遊技球から受ける打撃によって折損する場合、従来は金属疲労が蓄積され増大した境界部から折れる場合が殆どであったが、本発明では、露出釘部に境界部よりも太さが細い折損促進部が設けられているため、折損促進部の強度を境界部の強度よりも小さくして、更に折損促進部の近傍部に応力集中を発生させるようにして、境界部が折れる前に折損促進部が折れるようになり、そして、この折損促進部は境界部から釘頭部側へ遊技球の半径よりも小さい所定長さ離れた部位に設けられているため、折損促進部が折れると、露出釘部の折損促進部よりも釘頭部側と反対側部分が遊技盤の前面側へ突出した状態で挿入釘部と共に遊技盤に残存する。
【００１８】
請求項２の発明は、請求項１の発明において、前記折損促進部は遊技球が直接当たらない部位に形成されたことを特徴とし、請求項３の発明は、請求項２の発明において、前記所定長さが４ｍｍ〜５ｍｍに設定されたことを特徴とし、請求項４の発明は、請求項１〜３の何れかの発明において、前記露出釘部の折損促進部以外の部分が同じ太さで折損促進部よりも太く形成されたことを特徴とする。
【００１９】
請求項５の発明は、請求項４の発明において、前記露出釘部の折損促進部以外の部分と挿入釘部とが同じ太さに形成されたことを特徴とし、請求項６の発明は、請求項４の発明において、前記挿入釘部の長さ方向途中部に他の部分よりも太さが太い挿入根部が形成され、露出釘部の折損促進部以外の部分と挿入釘部の挿入根部以外の部分とが同じ太さに形成されたことを特徴とし、請求項７の発明は、請求項１〜３の何れかの発明において、前記露出釘部の折損促進部及び折損促進部よりも釘頭部側部分が同じ太さに形成され、露出釘部の折損促進部よりも釘頭部側と反対側部分と挿入釘部とが同じ太さに形成されたことを特徴とする。
【発明の効果】
【００２０】
請求項１の弾球遊技機によれば、複数の遊技釘の内の少なくとも１つの遊技釘の露出釘部には、その露出釘部と挿入釘部との境界部から釘頭部側へ遊技球の半径よりも小さい所定長さ離れた部位に境界部よりも太さが細い折損促進部を設け、この遊技釘が多数の遊技球から受ける打撃によって折損する場合、折損促進部が境界部よりも折れ易いように構成した。つまり、遊技球が露出釘部に当たると、境界部に曲げモーメントが最も大きく作用するが、露出釘部に境界部よりも太さが細い折損促進部を設けたことで、折損促進部の強度を境界部の強度よりも小さくして、更に折損促進部の近傍部に応力集中を発生させるようにして、遊技釘が折損する場合、折損促進部が境界部よりも折れ易いように、つまり、境界部が折れる前に折損促進部が折れるように構成できる。
【００２１】
そして、折損促進部を露出釘部のうち境界部から釘頭部側へ遊技球の半径よりも小さい所定長さ離れた部位に設けたことで、折損促進部が折れると、露出釘部の折損促進部よりも釘頭部側と反対側部分（以下、残存露出釘部という）を遊技盤の前面側へ突出させた状態で挿入釘部と共に遊技盤に残存させることができ、従って、ペンチ等の引抜き工具を使用して、遊技盤の前面側から、遊技盤の前面に形成された盤面意匠部も傷つけることなく、残存露出釘部を確実に把持し挿入釘部と共に遊技盤から容易に引抜くことができる。つまり、遊技釘の交換を容易に行うことができ、また、この遊技釘については、従来の遊技釘と同様に、遊技盤にその前面側から固定されるものであるため、既存の弾球遊技機へも容易に適用できる。
【００２２】
請求項２の弾球遊技機によれば、折損促進部を遊技球が直接当たらない部位に形成したので、遊技球を跳返す遊技釘（露出釘部）の本来の機能に支障がないように、折損促進部を露出釘部に設けることができる。
【００２３】
請求項３の弾球遊技機によれば、前記所定長さを４ｍｍ〜５ｍｍに設定したので、遊技球は遊技釘に略点接触状に当たることから、遊技球の直径が１１ｍｍの場合、その遊技球は露出釘部のうち遊技盤から約５．５ｍｍ未満の長さ位置部分には当たることがないので、遊技球が折損促進部に直接当たらないように、しかも、折損促進部が折れた場合に引抜き工具を使用して残存露出釘部を確実に把持できるように、折損促進部を形成できる。
【００２４】
請求項４の弾球遊技機によれば、露出釘部の折損促進部以外の部分を同じ太さで折損促進部よりも太く形成したので、遊技球が露出釘部に当たると、折損促進部の近傍部に応力集中を発生させるようにして、遊技釘が折損する場合、折損促進部が境界部よりも確実に折れ易いように構成できる。
【００２５】
請求項５の弾球遊技機によれば、露出釘部の折損促進部以外の部分と挿入釘部とを同じ太さに形成したので、既存の遊技釘を利用して、或いは、既存の遊技釘を製造する装置を利用して、本案特有の遊技釘を容易に製造できる。
【００２６】
請求項６の弾球遊技機によれば、挿入釘部の長さ方向途中部に他の部分よりも太さが太い挿入根部を形成し、露出釘部の折損促進部以外の部分と挿入釘部の挿入根部以外の部分とを同じ太さに形成したので、挿入釘部を挿入根部を介して遊技盤に挿入し強固に固定することができる。
【００２７】
請求項７の弾球遊技機によれば、露出釘部の折損促進部及び折損促進部よりも釘頭部側部分を同じ太さに形成し、露出釘部の折損促進部よりも釘頭部側と反対側部分と挿入釘部とを同じ太さに形成したので、露出釘部の折損促進部の強度を、露出釘部の折損促進部よりも釘頭部側と反対側部分の強度よりも小さくし、遊技球が露出釘部に当たると、折損促進部の近傍部に応力集中を発生させるようにして、遊技釘が折損する場合、折損促進部が境界部よりも確実に折れ易いように構成できる。
【発明を実施するための最良の形態】
【００２８】
本発明の弾球遊技機は、遊技球が発射される遊技領域を前面側に形成する遊技盤と、この遊技盤にその前面側から固定される複数の遊技釘とを備え、各遊技釘が遊技盤に挿入支持される挿入釘部と遊技領域内に配置される釘頭部側の露出釘部とを有し、複数の遊技釘の内の少なくとも１つの遊技釘の露出釘部には、その露出釘部と挿入釘部との境界部から釘頭部側へ遊技球の半径よりも小さい所定長さ離れた部位に境界部よりも太さが細い折損促進部が設けられ、この遊技釘が多数の遊技球から受ける打撃によって折損する場合、折損促進部が境界部よりも折れ易いように構成されている。
【実施例１】
【００２９】
図１、図２に示すように、弾球遊技機であるパチンコ機１は、主要機枠として、外枠２、開閉枠３、ガラス扉４、下部開閉扉５を備え、外枠２が遊技場の島構造体等と称せられる所に取付けられ、開閉枠３が外枠２の前側を開閉可能に外枠２に鉛直軸心回りに回動自在にヒンジ結合され、ガラス扉４と下部開閉扉５が夫々開閉枠３の前側を開閉可能に開閉枠３（又は外枠２）に鉛直軸心回りに回動自在にヒンジ結合されている。
【００３０】
パチンコ機１は、遊技球Ａが発射される遊技領域６を前面側に形成する木製（例えば、ベニヤ等の合板製）又は合成樹脂製（例えば、透明な合成樹脂製）の遊技盤７と、遊技盤７にその前面側から固定される複数の真鍮製の遊技釘８，９とを備えている。遊技領域６が開閉枠３の枠内から前方外へ臨むように、遊技盤７が開閉枠３に装着され、ガラス扉４により遊技領域６の前側が開閉され、ガラス扉４が閉じられた状態で、ガラス扉４の透明な窓ガラス４ａで遊技領域６の前側が覆われる。尚、遊技盤７の前面には、図示省略するが、意匠シート等が接着剤等で貼られて盤面意匠部が形成されている。
【００３１】
下部開閉扉５に発射ハンドル１０と貯留皿１１が取付けられており、遊技者が発射ハンドル１０を操作することで、貯留皿１１に貯留された複数の遊技球Ａが自動的に微小時間（例えば、約０．６秒）間隔で順次遊技領域６に発射され、遊技盤７に設けられたガイドレール１２で遊技領域６の上部に誘導された各遊技球Ａは、遊技領域６において遊技盤７と窓ガラス４ａとの間で、複数の遊技釘８，９に当たって跳返され進行方向を変えながら落下して、遊技領域６に設けられた各種入賞口に入賞したりしなかったりする。
【００３２】
遊技者が発射ハンドル１０を操作することで、貯留皿１１に貯留された複数の遊技球Ａが自動的に約０．６秒間隔で順次遊技領域６に発射されるとすると、遊技球Ａの発射数は、遊技球Ａを連続的に発射した場合、１分間で約１００個、１時間で約６０００個にもなるため、遊技釘８，９の負担、特に稼働率が高いパチンコ機１の遊技釘８，９、その中でも遊技球Ａが頻繁にまた強く当たる遊技釘９の負担は大きくなる。
【００３３】
図２に示す遊技領域６及び複数の遊技釘８，９等の配置構成の場合、遊技球Ａが頻繁にまた強く当たる遊技釘９は、遊技球Ａを始動口１３に望むように導くために発射後最初に当てる遊技釘９-1、遊技球Ａを所謂右打ちして強く発射させた場合にその跳返りを直接受ける遊技釘９-2、遊技球Ａを左右に振分けてその落下ルートを大きく二分させる遊技釘９-3、始動口１３の上方近傍に設けられ且つ頻繁に釘調整が行われる遊技釘９-4、等であり、釘調整が頻繁に行われる遊技釘９-4については、その釘調整でも負担が大きくなる。
【００３４】
このパチンコ機１では、複数の遊技釘８，９の全てが遊技盤７にその前面側から打込まれて固定されており、遊技球Ａが頻繁にまた強く当たる４本の遊技釘９-1〜９-4に本案特有の遊技釘９が採用され、４本の遊技釘９以外の複数の遊技釘８に従来同様の遊技釘８が採用されている。ここで、遊技球Ａの直径が約１１ｍｍ、遊技盤７と窓ガラス４ａとの間の間隔が約１９ｍｍである。
【００３５】
先ず、図３に示すように、従来同様の遊技釘８は、釘尖鋭部８ａと釘頭部８ｂを含めて、全長が約３３ｍｍに形成され、遊技盤７に挿入支持される釘尖鋭部８ａ側の約１５ｍｍ長さ部分が挿入釘部２０となり、遊技領域６内に配置される釘頭部８ｂ側の約１８ｍｍ長さ部分が露出釘部２１となり、釘尖鋭部８ａ以外の挿入釘部２０と釘頭部８ｂ以外の露出釘部２１とが同じ太さに直径約１．８５ｍｍに形成されている。挿入釘部２０には、抜止め用螺旋部８ｃが形成されている。
【００３６】
この遊技釘８では、挿入釘部２０と露出釘部２１とが同じ太さに形成されているため、また、遊技球Ａが露出釘部２１に当たると、露出釘部２１と挿入釘部２０との境界部２２に曲げモーメントが最も大きく作用するため、遊技釘Ａが多数の遊技球Ａから受ける打撃によって折損する場合、金属疲労が蓄積され増大した境界部２２から折れることが多い。
【００３７】
一方、図４に示すように、本案特有の遊技釘９は、遊技盤７に挿入支持される釘尖鋭部９ａ側の抜止め用螺旋部９ｃを有する挿入釘部３０と、遊技領域６内に配置される釘頭部９ｂ側の露出釘部３１とを有し、露出釘部３１には、露出釘部３１と挿入釘部３０との境界部３２から釘頭部９ｂ側へ遊技球Ａの半径よりも小さい所定長さＬ離れた部位に境界部３２よりも太さが細い折損促進部３３が設けられ、遊技釘９が多数の遊技球Ａから受ける打撃によって折損する場合、折損促進部３３が境界部３２よりも折れ易いように構成されている。
【００３８】
露出釘部３１の折損促進部３３以外の部分が同じ太さで折損促進部３３よりも太く形成され、露出釘部３１の折損促進部３３以外の部分と挿入釘部３０とが同じ太さに形成されている。尚、挿入釘部３０の太さとは、釘尖鋭部９ａ以外の挿入釘部３０の太さをいい、露出釘部３１の太さとは、釘頭部９ｂ以外の露出釘部３１の太さをいう。
【００３９】
具体的に、遊技釘９の全長は釘尖鋭部９ａと釘頭部９ｂを含めて約３３ｍｍ、挿入釘部３０の長さが約１５ｍｍ、露出釘部３１の長さが約１８ｍｍ、挿入釘部３０の太さが直径約１．８５ｍｍであり、以上は遊技釘８と同様で、露出釘部３１の折損促進部３３以外の太さが直径約１．８５ｍｍ、折損促進部３３の太さが最小で直径約１．６５ｍｍであり、遊技釘９の長さ方向における折損促進部３３の幅が約０．３ｍｍである。
【００４０】
折損促進部３３は遊技球Ａが直接当たらない部位に形成され、そのために、遊技球Ａの直径が約１１ｍｍであるため、所定長さＬが４．５ｍｍに設定され、即ち、露出釘部３１のうち境界部３２から釘頭部９ｂ側へ４．５ｍｍ離れた部位に折損促進部３３が設けられている。尚、釘頭部９ｂの直径は最大で約４．３ｍｍであり、遊技釘８の釘頭部８ｂと同様である。つまり、遊技釘９は、遊技釘８をベースに、その露出釘部２１に環状溝を形成することで、その環状溝を折損促進部３３として構成することができる。
【００４１】
以上説明したパチンコ機１によれば次の効果を奏する。
遊技釘９において、露出釘部３１には、その露出釘部３１と挿入釘部３０との境界部３２から釘頭部側９ｂへ遊技球Ａの半径よりも小さい所定長さＬ離れた部位に境界部３２よりも太さが細い折損促進部３３を設け、遊技釘９が多数の遊技球Ａから受ける打撃によって折損する場合、折損促進部３３が境界部３２よりも折れ易いように構成した。つまり、遊技球Ａが露出釘部３１に当たると、境界部３２に曲げモーメントが最も大きく作用するが、露出釘部３１に境界部３２よりも太さが細い折損促進部３３を設けたことで、折損促進部３３の強度を境界部３２の強度よりも小さくして、更に折損促進部３３の近傍部に応力集中を発生させるようにして、遊技釘９が折損する場合、折損促進部３３が境界部３２よりも折れ易いように、つまり、境界部３２が折れる前に折損促進部３３が折れるように構成できる。
【００４２】
そして、折損促進部３３を露出釘部３１のうち境界部３２から釘頭部９ｂ側へ遊技球Ａの半径よりも小さい所定長さＬ離れた部位に設けたことで、図５に示すように、折損促進部３３が折れると、露出釘部３１の折損促進部３３よりも釘頭部９ｂ側と反対側（釘尖鋭部９ａ側）部分（以下、残存露出釘部３１ａという）を遊技盤７の前面側へ突出させた状態で挿入釘部３０と共に遊技盤８に残存させることができ、従って、ガラス扉４を開け、ペンチ等の引抜き工具を使用して、遊技盤７の前面側から、遊技盤７の前面に形成された盤面意匠部も傷つけることなく、残存露出釘部３１ａを確実に把持し挿入釘部３０と共に遊技盤７から容易に引抜くことができる。つまり、遊技釘９の交換を容易に行うことができ、また、この遊技釘９については、従来の遊技釘８と同様に、遊技盤７にその前面側から固定されるものであるため、既存の弾球遊技機へも容易に適用できる。
【００４３】
折損促進部３３を遊技球Ａが直接当たらない部位に形成したので、遊技球Ａを跳返す遊技釘９（露出釘部３１）の本来の機能に支障がないように、折損促進部３３を露出釘部３１に設けることができる。所定長さＬを４．５ｍｍに設定したので、遊技球Ａは遊技釘９に略点接触状に当たることから、遊技球Ａの直径が１１ｍｍの場合、その遊技球Ａは露出釘部３１のうち遊技盤７から約５．５ｍｍ未満の長さ位置部分には当たることがないので、遊技球Ａが折損促進部３３に直接当たらないように、しかも、折損促進部３３が折れた場合に引抜き工具を使用して残存露出釘部３１ａを確実に把持できるように、折損促進部３３を形成できる。
【００４４】
露出釘部３１の折損促進部３３以外の部分を同じ太さで折損促進部３３よりも太く形成したので、遊技球Ａが露出釘部３１に当たると、折損促進部３３の近傍部に応力集中を発生させるようにして、遊技釘９が折損する場合、折損促進部３３が境界部３２よりも確実に折れ易いように構成できる。露出釘部３１の折損促進部３３以外の部分と挿入釘部３０とを同じ太さに形成したので、既存の遊技釘８を利用して、或いは、既存の遊技釘８を製造する装置を利用して、本案特有の遊技釘９を容易に製造できる。
【実施例２】
【００４５】
図６に示すように、実施例２のパチンコ機１Ａは、実施例１の遊技釘９を遊技釘９Ａに変更したものである。この遊技釘９Ａは、釘尖鋭部９ａ、釘頭部９ｂ、抜止め用螺旋部９Ａｃ、挿入釘部３０Ａ、露出釘部３１、境界部３２、折損促進部３３を備え、抜止め用螺旋部９Ａｃと挿入釘部３０Ａ以外の構成は基本的に実施例１のものと同様である。
【００４６】
挿入釘部３０Ａの長さ方向途中部に他の部分よりも太さが太い挿入根部３０Ａａが形成され、露出釘部３１の折損促進部３３以外の部分と挿入釘部３０Ａの挿入根部以外３０Ａａの部分とが同じ太さに形成され、挿入釘部３０Ａのうち挿入根部３０Ａａを含む部分に抜止め用螺旋部９Ａｃが形成されている。具体的に、挿入根部３０Ａａの直径は最大で約２．０ｍｍである。
【００４７】
このパチンコ機１Ａによれば、遊技釘９Ａにおいて、挿入釘部３０Ａを挿入根部３０Ａａを介して遊技盤７により挿入し強固に固定することができる。また、従来の遊技釘８についても、その挿入釘部２０を遊技釘９Ａの挿入釘部３０Ａのように形成するものとして、その既存の遊技釘８を利用して、或いは、既存の遊技釘９を製造する装置を利用して、本発特有の遊技釘９Ａを容易に製造できる。
【実施例３】
【００４８】
図７に示すように、実施例３のパチンコ機１Ｂは、実施例１の遊技釘９を遊技釘９Ｂに変更したものである。この遊技釘９Ｂは、遊技盤７に挿入支持される釘尖鋭部９Ｂａ側の抜止め用螺旋部９Ｂｃを有する挿入釘部３０Ｂと、遊技領域６内に配置される釘頭部９ｂ側の露出釘部３１Ｂとを有し、露出釘部３１Ｂには、露出釘部３１Ｂと挿入釘部３０Ｂとの境界部３２Ｂから釘頭部９ｂ側へ遊技球Ａの半径よりも小さい所定長さＬ離れた部位に境界部３２Ｂよりも太さが細い折損促進部３３Ｂが設けられ、遊技釘９Ｂが多数の遊技球Ａから受ける打撃によって折損する場合、折損促進部３３Ｂが境界部３２Ｂよりも折れ易いように構成されている。
【００４９】
露出釘部３１Ｂの折損促進部３３Ｂ及び折損促進部３３Ｂよりも釘頭部９ｂ側部分が同じ太さに形成され、露出釘部３１Ｂの折損促進部３３Ｂよりも釘尖鋭部９Ｂａ側部分と挿入釘部３０Ｂとが同じ太さに形成されている。尚、挿入釘部３０Ｂの太さとは、釘尖鋭部９Ｂａ以外の挿入釘部３０Ｂの太さをいい、露出釘部３１Ｂの太さとは、釘頭部９ｂ以外の露出釘部３１Ｂの太さをいう。
【００５０】
具体的に、遊技釘９Ｂの全長は釘尖鋭部９Ｂａと釘頭部９ｂを含めて約３３ｍｍ、挿入釘部３０Ｂの長さが約１５ｍｍ、露出釘部３１Ｂの長さが約１８ｍｍ、露出釘部３１Ｂの折損促進部３３Ｂ及び折損促進部３３Ｂよりも釘頭部９ｂ側部分の太さが直径約１．８５ｍｍ、露出釘部３１Ｂの折損促進部３３Ｂよりも釘尖鋭部９Ｂａ側部分と挿入釘部３０Ｂの太さが直径約２．０５ｍｍである。故に、この遊技釘９Ｂは実施例１の遊技釘９よりも折損しにくいように構成されている。
【００５１】
折損促進部３３Ｂは遊技球Ａが直接当たらない部位に形成され、そのために、遊技球Ａの直径が約１１ｍｍであるため、所定長さＬが４．０ｍｍに設定され、即ち、露出釘部３１Ｂのうち境界部３２Ｂから釘頭部９ｂ側へ遊技球Ａの半径よりも小さい４．０ｍｍ離れた部位に折損促進部３３Ｂが設けられている。折損促進部３３Ｂの強度を、露出釘部３１Ｂの折損促進部３３Ｂよりも釘尖鋭部９Ｂａ側部分の強度よりも小さくし、遊技球Ａが露出釘部３１Ｂに当たると、折損促進部３３Ｂの近傍部に応力集中を発生させるようにして、遊技釘９Ｂが折損する場合、折損促進部３３Ｂが境界部３２Ｂよりも確実に折れ易いように構成できる。その他は実施例１と同様の効果を奏する。
【実施例４】
【００５２】
図８に示すように、実施例４のパチンコ機１Ｃは、実施例１の遊技釘９を遊技釘９Ｃに変更したものである。この遊技釘９Ｃは、遊技盤７に挿入支持される釘尖鋭部９Ｃａ側の抜止め用螺旋部９Ｃｃを有する挿入釘部３０Ｃと、遊技領域６内に配置される釘頭部９ｂ側の露出釘部３１Ｃとを有し、露出釘部３１Ｃには、露出釘部３１Ｃと挿入釘部３０Ｃとの境界部３２Ｃから釘頭部９ｂ側へ遊技球Ａの半径よりも小さい所定長さＬ離れた部位に境界部３２Ｃよりも太さが細い折損促進部３３Ｃが設けられ、遊技釘９Ｃが多数の遊技球Ａから受ける打撃によって折損する場合、折損促進部３３Ｃが境界部３２Ｃよりも折れ易いように構成されている。
【００５３】
露出釘部３１Ｃの折損促進部３３Ｃ及び折損促進部３３Ｃよりも釘頭部９ｂ側部分が同じ太さに形成され、露出釘部３１Ｃの折損促進部３３Ｃよりも釘尖鋭部９Ｃａ側部分は、折損促進部３３Ｃの境界近傍部において折損促進部３３Ｃよりも太く形成されるとともに、釘尖鋭部９Ｃａ側へ移行するに連れて徐々に細くなるように形成され、挿入釘部３０Ｃは、抜止め用螺旋部９Ｃｃよりも釘頭部９ｂ側部分については、露出釘部３１Ｃから連続して釘尖鋭部９Ｃａ側へ移行するに連れて徐々に細くなるように形成され、挿入釘部３０Ｃの長さ方向途中部に他の部分よりも太さが太い挿入根部３０Ｃａが形成され、挿入釘部３０Ｃのうち挿入根部３０Ｃａを含む部分に抜止め用螺旋部９Ｃｃが形成されている。
【００５４】
具体的に、遊技釘９Ｃの全長は釘尖鋭部９Ｃａと釘頭部９ｂを含めて約３３ｍｍ、挿入釘部３０Ｃの長さが約１５ｍｍ、露出釘部３１Ｃの長さが約１８ｍｍ、露出釘部３１Ｃの折損促進部３３Ｃ及び折損促進部３３Ｃよりも釘頭部９ｂ側部分の太さが直径約１．８５ｍｍ、露出釘部３１Ｃの折損促進部３３Ｃよりも釘尖鋭部９Ｃａ側部分と挿入釘部３０Ｃの太さが最大で約２．０５ｍｍで最小で約１．８５ｍｍ、挿入根部３０Ｃａの直径は最大で約２．０ｍｍである。
【００５５】
このパチンコ機１Ｃによれば、遊技釘９Ｃにおいて、挿入釘部３０Ｃを挿入根部３０Ｃａを介して遊技盤７により挿入し強固に固定することができる。その他は実施例３と同様の効果を奏する。
【００５６】
尚、本発明のパチンコ機については、前記開示事項以外の種々の変更を付加して実施可能である。例えば、所定長さＬについては、４．０〜５．０ｍｍの範囲で適宜変更可能であり、その他の長さや太さについても適宜変更可能である。また、遊技釘９、９Ａ，９Ｂ，９Ｃについては、前記の４本以外の１又は複数の遊技釘８に変えて適用可能であり、更に全ての遊技釘８に変えて適用することもでき、種々の遊技領域及び複数の遊技釘の配置構成によって、適用すべき遊技釘を選別することもできる。そして、本発明については、種々のパチンコ機、パチンコ機以外の種々の弾球遊技機に適用することができる。
【図面の簡単な説明】
【００５７】
【図１】パチンコ機の前方斜め上側からの斜視図である。
【図２】パチンコ機の遊技盤の正面図である。
【図３】実施例１の従来同様の遊技釘と遊技盤等の断面図である。
【図４】実施例１の本案特有の遊技釘と遊技盤等の断面図である。
【図５】実施例１の本案特有の折損状態の遊技釘と遊技盤等の断面図である。
【図６】実施例２の本案特有の遊技釘と遊技盤等の断面図である。
【図７】実施例３の本案特有の遊技釘と遊技盤等の断面図である。
【図８】実施例４の本案特有の遊技釘と遊技盤等の断面図である。
【符号の説明】
【００５８】
Ａ  遊技球
１，１Ａ，１Ｂ，１Ｃ  パチンコ機（弾球遊技機）
６  遊技領域
７  遊技盤
９，９Ａ，９Ｂ，９Ｃ  遊技釘
３０，３０Ａ，３０Ｂ，３０Ｃ  挿入釘部
３０Ａａ，３０Ｃａ  挿入根部
３１，３１Ｂ，３１Ｃ  露出釘部
３２，３２Ｂ，３２Ｃ  境界部
３３，３３Ｂ，３３Ｃ  折損促進部
【図１】
0004772822.tif 000002
【図２】
0004772822.tif 000003
【図３】
0004772822.tif 000004
【図４】
0004772822.tif 000005
【図５】
0004772822.tif 000006
【図６】
0004772822.tif 000007
【図７】
0004772822.tif 000008
【図８】
0004772822.tif 000009